(57)【特許請求の範囲】
【請求項１】
反射傘にアダプターを介して電球を接続した照明器具において、
前記反射傘は、反射される光が比較的広い範囲に拡散して照射距離が比較的近くなる近距離照射用反射面を上方側に形成するとともに、反射される光が比較的狭い範囲に集光して照射距離が比較的遠くなる遠距離照射用反射面を下方側に形成し、これらの近距離照射用反射面と遠距離照射用反射面とを一体的かつ連続的に形成し、しかも、前記アダプターは、電球の位置を上下に変更できるように構成し、アダプターによって電球を反射傘の上方側に位置させ、外部から目視したときに電球が奥側に引っ込んでいる状態では、照射距離が短くなり、一方、アダプターによって電球を反射傘の下方側に位置させ、外部から目視したときに電球が手前側に出っ張っている状態では、照射距離が長くなることを特徴とする照明器具。
【請求項２】
複数の照明器具を支持体で支持した照明装置において、
各照明器具は、反射傘にアダプターを介して電球を接続し、前記反射傘は、反射される光が比較的広い範囲に拡散して照射距離が比較的近くなる近距離照射用反射面を上方側に形成するとともに、反射される光が比較的狭い範囲に集光して照射距離が比較的遠くなる遠距離照射用反射面を下方側に形成し、これらの近距離照射用反射面と遠距離照射用反射面とを一体的かつ連続的に形成し、しかも、前記アダプターは、電球の位置を上下に変更できるように構成し、アダプターによって電球を反射傘の上方側に位置させ、外部から目視したときに電球が奥側に引っ込んでいる状態では、照射距離が短くなり、一方、アダプターによって電球を反射傘の下方側に位置させ、外部から目視したときに電球が手前側に出っ張っている状態では、照射距離が長くなることを特徴とする照明装置。
【請求項３】
前記支持体は、伸縮自在に形成した一対の支柱の上端部間にワイヤーを張設して構成し、ワイヤーに各照明器具をダンパーを介して接続したことを特徴とする請求項２に記載の照明装置。
【発明の詳細な説明】
技術分野
［０００１］
本発明は、反射傘及び照明器具並びに照明装置に関するものである。
背景技術
［０００２］
従来より、講堂や体育館などの天井が高い建物には、天井に照明器具を吊り下げて取付けていた。
［０００３］
この照明器具は、天井から吊り下げたソケットに電球を装着し、この電球にアダプターを介して反射傘を接続していた（たとえば、特許文献１参照）。
［０００４］
そして、従来の照明器具を建物に施工する際には、予め天井から床面までの距離に応じて１個の電球で照射する照射距離を設定しておき、その照射距離に対応した反射面を有する反射傘を装着するようにしていた。
特許文献１：特開２００４−３４９２３５号公報
発明の開示
発明が解決しようとする課題
［０００５］
ところが、従来の照明器具では、照射距離が反射傘の内側に形成した反射面の形状で決定されてしまうために、施工現場において照射距離を調整することができなかった。
［０００６］
また、既存の照明器具の反射傘だけを交換する場合に、電球やソケットのメーカーが異なっていると、反射傘を取付けた際に電球が設定位置からずれて装着されてしまうことがあり、所望の照射距離が得られないこともあった。
課題を解決するための手段
【０００７】
そこで、請求項１に係る本発明では、反射傘にアダプターを介して電球を接続した照明器具において、前記反射傘は、反射される光が比較的広い範囲に拡散して照射距離が比較的近くなる近距離照射用反射面を上方側に形成するとともに、反射される光が比較的狭い範囲に集光して照射距離が比較的遠くなる遠距離照射用反射面を下方側に形成し、これらの近距離照射用反射面と遠距離照射用反射面とを一体的かつ連続的に形成し、しかも、前記アダプターは、電球の位置を上下に変更できるように構成し、アダプターによって電球を反射傘の上方側に位置させ、外部から目視したときに電球が奥側に引っ込んでいる状態では、照射距離が短くなり、一方、アダプターによって電球を反射傘の下方側に位置させ、外部から目視したときに電球が手前側に出っ張っている状態では、照射距離が長くなることにした。
【０００８】
また、請求項２に係る本発明では、複数の照明器具を支持体で支持した照明装置において、各照明器具は、反射傘にアダプターを介して電球を接続し、前記反射傘は、反射される光が比較的広い範囲に拡散して照射距離が比較的近くなる近距離照射用反射面を上方側に形成するとともに、反射される光が比較的狭い範囲に集光して照射距離が比較的遠くなる遠距離照射用反射面を下方側に形成し、これらの近距離照射用反射面と遠距離照射用反射面とを一体的かつ連続的に形成し、しかも、前記アダプターは、電球の位置を上下に変更できるように構成し、アダプターによって電球を反射傘の上方側に位置させ、外部から目視したときに電球が奥側に引っ込んでいる状態では、照射距離が短くなり、一方、アダプターによって電球を反射傘の下方側に位置させ、外部から目視したときに電球が手前側に出っ張っている状態では、照射距離が長くなることにした。
【０００９】
また、請求項３に係る本発明では、前記請求項２に係る本発明において、前記支持体は、伸縮自在に形成した一対の支柱の上端部間にワイヤーを張設して構成し、ワイヤーに各照明器具をダンパーを介して接続することにした。
【００１６】
また、請求項１０に係る本発明では、前記請求項８に係る本発明において、前記反射傘は、前記近距離照射用反射面を多角形断面状に形成するとともに、前記遠距離照射用反射面を円弧断面状に形成し、これらの近距離照射用反射面と遠距離照射用反射面とを一体的かつ連続的に形成することにした。
【００１７】
また、請求項１１に係る本発明では、前記請求項８に係る本発明において、前記アダプターは、電球を保持するソケットをケーシングの内部に上下位置変更可能に収容することにした。
【００１８】
また、請求項１２に係る本発明では、前記請求項８に係る本発明において、前記支持体は、伸縮自在に形成した一対の支柱の上端部間にワイヤーを張設して構成し、ワイヤーに前記照明器具をダンパーを介して接続することにした。
発明の効果
［００１９］
そして、本発明では、以下に記載する効果を奏する。
［００２０］
すなわち、本発明では、反射傘の内側に照射距離が比較的近くなる近距離照射用反射面と照射距離が比較的遠くなる遠距離照射用反射面とを上下に形成しているために、電球の位置を上下に変更することによって、反射傘の反射面と電球との相対的な位置が変化して、これに応じて照射距離が変化するので、施工現場において照明器具の照射距離を容易に調整することができる。
［００２１］
また、既存の照明器具を交換する場合であっても、既存の電球やソケットのサイズがメーカーごとに異なっていても、アダプターによって電球の位置を上下に変更することができるので、既存の電球やソケットをそのまま利用して所望の照射距離を得ることができる。
［００２２］
また、本発明では、近距離照射用反射面を反射傘の上方側に形成するとともに、遠距離照射用反射面を反射傘の下方側に形成しているために、電球を反射傘の上方側に位置させ、外部から目視したときに電球が奥側に引っ込んでいる状態では、照射距離が短くなり、一方、電球を反射傘の下方側に位置させ、外部から目視したときに電球が手前側に出っ張っている状態では、照射距離が長くなり、これにより、外部から目視できる電球の状態と照射距離とを一致させることができ、照射距離の調整作業を容易なものとすることができる。
［００２３］
また、本発明では、近距離照射用反射面を多角形断面状に形成するとともに、遠距離照射用反射面を円弧断面状に形成し、これらの近距離照射用反射面と遠距離照射用反射面とを一体的かつ連続的に形成しているために、反射傘の軽量化を図ることができるとともに、反射傘の製造を容易なものとすることができる。
【００２４】
また、本発明では、電球を保持するソケットをアダプターのケーシングの内部に上下位置変更可能に収容しているために、ケーシングの内部でソケットが上下に移動するだけで、ケーシングの外観形状を変化させる必要がないため、反射傘の取付位置を常に一定に保持することができ、外観上の美観を良好なものとすることができる。
【００２５】
また、本発明では、伸縮自在に形成した一対の支柱の上端部間にワイヤーを張設することによって支持体を構成し、支持体のワイヤーに照明器具をダンパーを介して接続しているために、支柱を伸縮させるだけで照明器具の取付位置を容易に変更することができるとともに、ダンパーによって振動を吸収することができ、常に一定の範囲を照射することができる。
【図面の簡単な説明】
【００２６】
【図１】実施例１に係る照明器具を示す正面図。
【図２】同平面図。
【図３】同底面図。
【図４】同断面図。
【図５】アダプターを示す一部断面正面図。
【図６】反射傘を示す断面図。
【図７】同底面図。
【図８】図６のＩ−Ｉ断面図。
【図９】図６のII−II断面図。
【図１０】実施例２に係る照明器具を示す正面図。
【図１１】同断面図。
【図１２】アダプターの動作を示す断面図。
【図１３】実施例３に係る照明装置を示す正面図。
【符号の説明】
【００２７】
１  照明器具                              ２  ソケット
３  電球                                  ４  アダプター
５  反射傘                                ６  カバー
７  上側アダプター                        ８  下側アダプター
９  本体                                  10  鍔
11  貫通孔                                12  ボルト
13  ナット                                14  ビス
15  本体                                  16  鍔
17  貫通孔                                18  ボルト
19  ナット                                20  ガイド溝
21  本体                                  22  鍔
23  貫通孔                                24  段部
25  フック                                26  反射面
27  面                                    28  周面
29  近距離照射用反射面                    30  遠距離照射用反射面
31  照明器具                              32  アダプター
33  ケーシング                            34,35  ガイド体
36  移動板                                37  スプリング
38,39  ナット                             40,41  ボス
42  取付具                                43,44  ビス
45  リブ                                  46  ビス
47  照明装置                              48  イカ釣り船
49  甲板                                  50  支持体
51,52  支柱                               53  ワイヤー
54  吊下具                                55  ダンパー
【発明を実施するための最良の形態】
【００２８】
以下に、本発明に係る反射傘、照明器具及び照明装置の具体的な構造について図面を参照しながら説明する。
【実施例１】
【００２９】
実施例１に係る照明器具１は、図１〜図４に示すように、建物の天井に吊り下げるソケット２に電球３を着脱自在に装着するとともに、ソケット２にアダプター４を着脱自在に取付け、このアダプター４に反射傘５を着脱自在に取付け、この反射傘５にカバー６を着脱自在に装着している。
【００３０】
この照明器具１の各部の構造について以下に説明する。なお、ソケット２や電球３は、市販の汎用品を用いることができる。
【００３１】
まず、アダプター４の構造について説明すると、アダプター４は、図４及び図５に示すように、ソケット２に装着する上側アダプター７と、反射傘５に装着する下側アダプター８とで構成している。
【００３２】
上側アダプター７は、円筒状の本体９の上端部に円環状の鍔10を形成し、この鍔10に貫通孔11を形成し、この貫通孔11を用いてソケット２と上側アダプター７とをボルト12及びナット13で着脱自在に締結している。
【００３３】
また、上側アダプター７は、本体９の下端部にビス14を螺着している。
【００３４】
一方、下側アダプター８は、円筒状の本体15の下端部に円環状の鍔16を形成し、この鍔16に貫通孔17を形成し、この貫通孔17を用いて反射傘５と下側アダプター８とをボルト18及びナット19で着脱自在に締結している。
【００３５】
また、下側アダプター８は、本体15の外周面に前後一対の螺旋状のガイド溝20を形成している。
【００３６】
そして、アダプター４は、下側アダプター８に形成したガイド溝20に上側アダプター７に螺着したビス14を係入し、下側アダプター８に対して上側アダプター７を相対的に回転させることによって、上側アダプター７のビス14が下側アダプター８のガイド溝20に沿って移動し、これにより、下側アダプター８に対して上側アダプター７が上下に移動するようにしている。
【００３７】
そのため、図４に示すように、下側アダプター８に対して上側アダプター７を上方へ移動させると、それに伴って電球３も上方に移動し（図４の左側参照）、一方、下側アダプター８に対して上側アダプター７を下方へ移動させると、それに伴って電球３も下方に移動する（図４の右側参照）。
【００３８】
また、アダプター４は、ビス14をねじ込むことによって下側アダプター８に上側アダプター７を固定することができる。
【００３９】
次に、反射傘５の構造について説明すると、反射傘５は、図６〜図９に示すように、略椀状の本体21の上端部に円環状の鍔22を形成し、この鍔22に貫通孔23を形成し、この貫通孔23を用いて反射傘５と下側アダプター８とをボルト18及びナット19で着脱自在に締結している。
【００４０】
また、反射傘５は、本体21の下端部に円環状の段部24を形成し、この段部24の内側に格子状のカバー６を挿入できるようにし、一方、段部24の外側にカバー６に取付けたフック25を係止できるようにしている。
【００４１】
この反射傘５は、内周に電球３から放射された光を下方へ向けて反射する反射面26を形成している。
【００４２】
この反射面26は、図８に示すように、反射傘５の上方側を多角形断面状に形成し、各面27で反射される光が比較的広い範囲に拡散して、比較的照射距離が近くなるようにし、一方、図９に示すように、反射傘５の下方側を円弧断面状に形成し、周面28で反射される光が比較的狭い範囲に集光して、比較的照射距離が遠くなるようにしている。
【００４３】
このように、反射傘５には、内側に照射距離が比較的近くなる近距離照射用反射面29と照射距離が比較的遠くなる遠距離照射用反射面30とを上下に一体的かつ連続的に配置した反射面26を形成しており、遠距離照射用反射面30で電球３の光を反射させた場合の照射距離よりも照射距離が短くなる近距離照射用反射面29を図８に示すように多角形断面状に形成し、一方、近距離照射用反射面29で電球３の光を反射させた場合の照射距離よりも照射距離が長くなる遠距離照射用反射面30を図９に示すように円弧断面状に形成している。
【００４４】
この反射傘５は、アルミ板をプレス加工によって近距離照射用反射面29と遠距離照射用反射面30とを同時に一体成形している。
【００４５】
以上に説明したように、照明器具１は、電球３をアダプター４を介して反射傘５に接続し、反射傘５の内側に照射距離が比較的近くなる近距離照射用反射面29と照射距離が比較的遠くなる遠距離照射用反射面30とを上下に形成している。
【００４６】
しかも、上記照明器具１では、アダプター４を電球３の位置を上下に変更できるように構成している。
【００４７】
そのため、上記照明器具１では、アダプター４によって電球３の位置を上下に変更すると、それに伴って反射傘５の反射面26と電球３との相対的な位置が変化する。
【００４８】
これにより、上記照明器具１では、電球３から放射された光が近距離照射用反射面29で反射された場合と遠距離照射用反射面30で反射された場合とで照射距離を変化させることができる。したがって、上記照明器具１では、施工現場においてアダプター４によって照明器具１の照射距離を容易に調整することができる。
【００４９】
また、上記照明器具１では、既存の照明器具１を交換する場合であっても、既存の電球３やソケット２のサイズがメーカーごとに異なっていても、アダプター４によって電球３の位置を上下に変更することができるので、既存の電球３やソケット２をそのまま利用して所望の照射距離を得ることができる。
【００５０】
また、上記照明器具１では、近距離照射用反射面29を反射傘５の上方側に形成するとともに、遠距離照射用反射面30を反射傘５の下方側に形成している。
【００５１】
そのため、上記照明器具１では、アダプター４によって電球３を反射傘５の上方側に位置させ、外部から目視したときに電球３が奥側に引っ込んでいる状態では、照射距離が短くなり、一方、アダプター４によって電球３を反射傘５の下方側に位置させ、外部から目視したときに電球３が手前側に出っ張っている状態では、照射距離が長くなる。
【００５２】
これにより、上記照明器具１では、外部から目視できる電球３の状態と照明器具１の照射距離とを感覚的に一致させることができるので、照射距離の調整作業を容易なものとすることができる。
【００５３】
また、上記照明器具１では、近距離照射用反射面29を多角形断面状に形成するとともに、遠距離照射用反射面30を円弧断面状に形成し、これらの近距離照射用反射面29と遠距離照射用反射面30とを一体的かつ連続的に形成している。
【００５４】
そのため、上記照明器具１では、反射傘５の軽量化を図ることができるとともに、反射傘５の製造を容易なものとすることができる。
【実施例２】
【００５５】
実施例２に係る照明器具31は、図10及び図11に示すように、アダプター32の下端部に反射傘５を着脱自在に取付け、この反射傘５にカバー６を着脱自在に装着している。なお、以下の説明では、実施例１に係る照明器具１と同一機能を有する部材には、同一の符号を付して、説明を省略している。
【００５６】
アダプター32は、下端に開口を有するケーシング33の内側上端部に左右一対のガイド体34,35を上下に伸延させた状態で取付けるとともに、ガイド体34,35に円板状の移動板36を上下に摺動自在に取付け、移動板36の上面とケーシング33の内側上端部との間にスプリング37を介設し、ガイド体34,35の外周に形成したネジ部にナット38,39をスプリング37の反発力に抗して螺着しており、移動板36の下面に電球３を保持するソケット２を取付けている。なお、スプリング37の下端部は、移動板36の上面に形成した凹部に嵌入させており、これにより、スプリング37の転倒を防止している。
【００５７】
また、アダプター32は、ケーシング33の外周面に左右一対のボス40,41を形成し、このボス40,41に取付具42を角度調節可能に取付けている。図中、43,44は、固定用のビスである。
【００５８】
このアダプター32は、ケーシング33の下部内周面に120度間隔で３個のリブ45を形成し、各リブ45の下端に螺着したビス46でケーシング33に反射傘５を着脱自在に取付けている。
【００５９】
そして、アダプター32は、図12に示すように、ナット38,39によって移動板36を上下に移動させることができ、これにより、ケーシング33の内部でソケット２の上下位置を変更できるようにしている。
【００６０】
このように、実施例１に係る照明器具１では、ソケット２と反射傘５との間にアダプター４を介設した構成としているが、実施例２に係る照明器具31では、アダプター32に反射傘５を取付けるとともに、アダプター32のケーシング33の内部に電球３を保持するソケット２を上下位置変更可能に収容している。
【００６１】
そのため、上記照明器具31では、ケーシング33の内部でソケット２が上下に移動するだけで、ケーシング33の外観形状を変化させる必要がないため、反射傘５の取付位置を常に一定に保持することができ、複数個の照明器具31を並べて配置した場合には、全ての反射傘５の取付位置が同一となって外観上の美観を良好なものとすることができる。
【実施例３】
【００６２】
実施例３に係る照明装置47は、図13に示すように、イカ釣り船48の集魚装置として機能するものであり、甲板49に支持体50を取付け、支持体50に13個の照明器具31を前後に間隔をあけて取付けている。なお、以下の説明では、実施例１又は実施例２に係る照明器具1,31と同一機能を有する部材には、同一の符号を付して、説明を省略している。
【００６３】
支持体50は、前後一対の支柱51,52の上端部間にワイヤー53を張設しており、各支柱51,52を伸縮自在に形成している。
【００６４】
そして、照明装置47は、支持体50のワイヤー53に吊下具54の上端部を着脱自在に取付け、吊下具54の下端部に振動吸収装置としてのダンパー55の上端部を取付け、ダンパー55の下端部に照明器具31の取付具42を着脱自在に取付けている。
【００６５】
このように、上記照明装置47では、支持体50の支柱51,52を伸縮自在に形成しているために、支柱51,52を伸縮させるだけで照明器具31の取付位置（取付高さ）を容易に変更することができる。
【００６６】
また、上記照明装置47では、支持体50に照明器具31をダンパー55を介して接続しているために、ダンパー55によって振動を吸収することができ、照明器具31によって常に一定の範囲を照射することができる。特に、上記照明装置47を集魚装置として利用した場合には、船が振動しても常に一定の範囲を照射することができ、集魚性能を向上させることができる。
【産業上の利用可能性】
【００６７】
本発明は、反射傘や、反射傘を有する照明器具や、照明器具を有する照明装置に適用することができる。
【図１】
0004426625.tif 000002
【図２】
0004426625.tif 000003
【図３】
0004426625.tif 000004
【図４】
0004426625.tif 000005
【図５】
0004426625.tif 000006
【図６】
0004426625.tif 000007
【図７】
0004426625.tif 000008
【図８】
0004426625.tif 000009
【図９】
0004426625.tif 000010
【図１０】
0004426625.tif 000011
【図１１】
0004426625.tif 000012
【図１２】
0004426625.tif 000013
【図１３】
0004426625.tif 000014